(57)【要約】      （修正有）【課題】屋内空間の少なくとも１つの測位点に対応する位置情報が取得できる消防士の屋内測位システムを提供する。【解決手段】消防士の屋内測位システムは、消防士が装着または携帯するための無線タグ読取装置１００、及び屋内空間中の複数の測位点に設置され、且つ測位点に対応する位置情報を保存するためのメモリーを各々有する複数の無線タグ１１０を備える。操作において無線タグ読取装置はワイヤレス方式で探知範囲内の少なくとも１つの無線タグと接続される。【選択図】図１
0003219135.tif 000002
【実用新案登録請求の範囲】
【請求項１】
消防士が装着または携帯するための無線タグ読取装置と、
屋内空間中の複数の測位点に設置され、且つ前記測位点に対応する位置情報を保存するためのメモリーを各々有する複数の無線タグとを備え、
操作において前記無線タグ読取装置はワイヤレス方式により探知範囲内の少なくとも１つの前記無線タグと接続され、これにより前記屋内空間の少なくとも１つの前記測位点に対応する前記位置情報が取得されることを特徴とする消防士の屋内測位システム。
【請求項２】
前記無線タグ読取装置は表示器及び／またはスピーカーを備えることを特徴とする請求項１に記載の消防士の屋内測位システム。
【請求項３】
前記無線タグ読取装置はボタンユニット及び／またはタッチ制御ユニットを備えることを特徴とする請求項１に記載の消防士の屋内測位システム。
【請求項４】
前記無線タグ読取装置は通信インターフェースを含むことを特徴とする請求項１に記載の消防士の屋内測位システム。
【請求項５】
前記測位点は煙センサ上に位置されることを特徴とする請求項１に記載の消防士の屋内測位システム。
【請求項６】
前記測位点は電源コンセント上に位置されることを特徴とする請求項１に記載の消防士の屋内測位システム。
【請求項７】
前記測位点はランプ上に位置されることを特徴とする請求項１に記載の消防士の屋内測位システム。
【請求項８】
前記測位点はスプリンクラー上に位置されることを特徴とする請求項１に記載の消防士の屋内測位システム。
【考案の詳細な説明】
【技術分野】
【０００１】
本考案は、消防士の屋内測位システムに関する。
【背景技術】
【０００２】
建築物で火災が発生すると内部で停電が発生し、濃煙が充満して消防士が自分が前記建築物内のどの位置に居るのか分からなくなることがある。この問題を解決するため、消防士は測位装置を装備する必要があった。
【０００３】
しかしながら、ＧＰＳ（global positioning system）では、開放空間中では測位機能を提供可能であるが、屋内空間には適用できなかった。
【０００４】
屋内で測位を行う問題を解決するため、アップル社は２０１３年にｉＢｅａｃｏｎと呼ばれる測位方法を公開した。前記測位方法では信号発信機が信号を不断で広範に発信し、携帯電話が前記信号発信機のカバー範囲に入ると前記信号発信機が前記携帯電話にコード列を発信し、前記携帯電話が測位情報を取得可能にしている。
【考案の概要】
【考案が解決しようとする課題】
【０００５】
しかしながら、火災発生後には停電によりｉＢｅａｃｏｎの信号発信機が正常動作しなくなり、消防士が屋内で測位情報を取得不能になることがある。このため、前述の問題を解決するために新規の消防士の屋内測位システムを提供することが急がれている。
【０００６】
本考案は、このような従来の問題に鑑みてなされたものである。上記課題解決のため、本考案は、消防士の屋内測位システムを提供することを主目的とする。すなわち、複数の測位点に設置される複数の無線タグにより消防士が屋内空間中での現在地を確認可能にする。
【０００７】
また、本考案の他の目的は、消防士の屋内測位システムを提供することである。すなわち、屋内の既設の煙センサ、電源コンセント、ランプ、またはスプリンクラー上に無線タグが設置され、消防士が前記屋内空間中での現在地を確認可能にする。
【課題を解決するための手段】
【０００８】
上述した課題を解決し、目的を達成するために、請求項１に記載の消防士の屋内測位システムは、
消防士が装着または携帯するための無線タグ読取装置と、
屋内空間中の複数の測位点に設置され、且つ前記測位点に対応する位置情報を保存するためのメモリーを各々有する複数の無線タグとを備え、
操作において前記無線タグ読取装置はワイヤレス方式により探知範囲内の少なくとも１つの前記無線タグと接続され、これにより前記屋内空間の少なくとも１つの前記測位点に対応する前記位置情報が取得される。
【０００９】
好ましい実施態様において、前記無線タグ読取装置は表示器及び／またはスピーカーを備える。
【００１０】
好ましい実施態様において、前記無線タグ読取装置はボタンユニット及び／またはタッチ制御ユニットを備える。
【００１１】
好ましい実施態様において、前記無線タグ読取装置は通信インターフェースを含む。
【００１２】
好ましい実施態様において、前記測位点は煙センサ上に位置される。
【００１３】
好ましい実施態様において、前記測位点は電源コンセント上に位置される。
【００１４】
好ましい実施態様において、前記測位点はランプ上に位置される。
【００１５】
好ましい実施態様において、前記測位点はスプリンクラー上に位置される。
【図面の簡単な説明】
【００１６】
【図１】本考案の一実施形態に係る消防士の屋内測位システムを示す概略図である。
【図２】図１に示す一実施形態の消防士の屋内測位システムの無線タグ読取装置を示したブロック図である。
【図３】本考案の無線タグが煙センサに設置される概略図である。
【図４】本考案の無線タグがコンセントに設置される概略図である。
【図５】本考案の無線タグがランプに設置される概略図である。
【図６】本考案の無線タグがスプリンクラーに設置される概略図である。
【考案を実施するための形態】
【００１７】
本考案における好適な実施の形態について、添付図面を参照して説明する。尚、以下に説明する実施の形態は、実用新案登録請求の範囲に記載された本考案の内容を限定するものではない。また、以下に説明される構成の全てが、本考案の必須要件であるとは限らない。
【実施例】
【００１８】
図１は本考案の一実施形態に係る消防士の屋内測位システムを示す概略図である。消防士の屋内測位システムは無線タグ読取装置１００及び複数の無線タグ１１０を備える（図１参照）。
【００１９】
無線タグ読取装置１００は消防士が装着または携帯するために用いられ、且つ前記複数の無線タグ１１０は屋内空間２００中の複数の測位点に設置される。各無線タグ１１０はアクティブ型またはパッシブ型であり、共に位置情報を保存するためのメモリー（図示せず）を有する。前記位置情報は前記測位点に対応する。
【００２０】
操作において、前記無線タグ読取装置１００はワイヤレス方式で探知範囲ｄ内の少なくとも１つの前記無線タグ１１０と接続され、前記屋内空間２００の少なくとも１つの前記測位点が対応する前記位置情報が取得される。
【００２１】
図２は図１に示す一実施形態の消防士の屋内測位システムの無線タグ読取装置１００を示したブロック図である。無線タグ読取装置１００はメッセージ出力ユニット１０１及び操作インターフェース１０２を有する（図２参照）。
【００２２】
メッセージ出力ユニット１０１は表示器及び／またはスピーカーを備える。
【００２３】
操作インターフェース１０２はボタンユニット及び／またはタッチ制御ユニットを備える。
【００２４】
また、無線タグ読取装置１００は前記位置情報を外部装置に伝送するための通信インターフェースを更に有する。
【００２５】
また、本考案で採用される無線タグ１１０は屋内の各種既存設備または装置上に設置される。
【００２６】
図３は本考案の無線タグ１１０が煙センサ３１０に設置される概略図である。図４は本考案の無線タグ１１０がコンセント３２０に設置される概略図である。図５は本考案の無線タグ１１０がランプ３３０に設置される概略図である。図６は本考案の無線タグ１１０がスプリンクラー３４０に設置される概略図である。
【００２７】
前述の設計により、本考案は以下の長所を有する。
１．本考案に係る消防士の屋内測位システムは複数の測位点に設置される複数の無線タグにより消防士が屋内空間中での現在地を確認可能になる。
２．本考案に係る消防士の屋内測位システムは屋内の既設の煙センサ、電源コンセント、ランプ、またはスプリンクラー上に無線タグが設置される。これにより、消防士が前記屋内空間中での現在地を確認可能になる。
【００２８】
上述の実施形態は本考案の技術思想及び特徴を説明するためのものにすぎず、当該技術分野を熟知する者に本考案の内容を理解させると共にこれをもって実施させることを目的とし、本考案の実用新案登録請求の範囲を限定するものではない。従って、本考案の精神を逸脱せずに行う各種の同様の効果をもつ改良又は変更は、実用新案登録請求の範囲に含まれるものとする。
【符号の説明】
【００２９】
１００  無線タグ読取装置
１１０  無線タグ
２００  屋内空間
１０１  メッセージ出力ユニット
１０２  操作インターフェース
３１０  煙センサ
３２０  コンセント
３３０  ランプ
３４０  スプリンクラー
【図１】
0003219135.tif 000003
【図２】
0003219135.tif 000004
【図３】
0003219135.tif 000005
【図４】
0003219135.tif 000006
【図５】
0003219135.tif 000007
【図６】
0003219135.tif 000008